(57)【要約】【課題】中空の注出管の接続基部ならびに容器本体側面に形成された注出口の構成を追及して、より一層の心地良い快音を発する徳利ならびに製作が容易な徳利を提供することを目的とする。【解決手段】注入口２が配設された容器本体１と、この注入口２を気密に閉蓋する気密蓋５と、一方に排出口３と他方に接続基部８を有した中空の注出管４とを具備し、前記容器本体１の側面に前記注出管４の接続基部８を一体的に取り付けると共に、この接続基部８内面の前記容器本体１側面に注出口７を形成し、この注出口７の開口を前記注出管４の接続基部８開口に対して２５％〜５０％の大きさにした構成としたものである。【選択図】図１
2007185213.tif 000002
【特許請求の範囲】
【請求項１】
注入口が配設された容器本体と、この注入口を気密に閉蓋する気密蓋と、一方に排出口と他方に接続基部を有した中空の注出管とを具備し、前記容器本体の側面に前記注出管の接続基部を一体的に取り付けると共に、この接続基部内面の前記容器本体側面に注出口を形成し、この注出口の開口を前記注出管の接続基部開口に対して２５％〜５０％の大きさにしたことを特徴とする液体容器。
【請求項２】
容器本体側面の注出口を、前記容器本体の壁面を１５度〜３０度の断面斜上形状に形成したことを特徴とする請求項１記載の液体容器。
【請求項３】
容器本体側面の注出口と、注出管の接続基部近傍の前記注出口に対向する対向壁との開
き距離を、前記注出口の縦径寸法に対して４０％以上から縦径寸法と同程度としたことを
特徴する請求項１記載の液体容器。
【請求項４】
注出口の開口を複数個および連通した形状としたことを特徴とする請求項１乃至３記載
の液体容器。
【発明の詳細な説明】
【技術分野】
【０００１】
本発明は、内部に液体を保有し排出口から注出するようにした容器に関し、具体的には酒を注いだときに快音を発する徳利のごとき液体容器に関する。
【背景技術】
【０００２】
従前より、お酒を注ぐ徳利は種々の形状やデザインに趣向を凝らしたものが数多く提供されている。そのような中で本発明者は、お酒を注ぐ際にトコトコと心地良い快音を発する徳利を提供した。（例えば、特許文献１参照）
図３は、本発明者が開示した従来の酒徳利を示し、容器本体１の上部に注入口２が設けられている。そして排出口３を有する中空の注出管４の注出管基部４ａが容器本体１の側面に一体的に接続構成されている。５は気密蓋で注入口２を気密に塞いでいる。ここで、注出管基部４ａには絞り部６の開口が形成されて容器本体１と連通しており、この開口は注出口３および注出管４の内径より小さい内径に絞られている。
【０００３】
このような構成によって、容器本体１の排出口３からお酒を注ぐと酒の重量分だけ容器本体内の空気が減圧される。すると注いだ分の容積の気泡が絞り部６の開口より容器本体内に断続的に潜り込んで逆流気泡が浮き上がり水位面上で次々に破裂する。すると容器本体内の空気が逆流気泡一個分づつ増加し、気圧がその一瞬元に戻ると共に容器本体内の酒が絞り部６の開口より外へ脈動的に押し出され、同時に逆流気泡が絞り部６の開口より吸い込まれてトコトコと小刻みな脈動音が発生し、その音が注出管４内空間で共鳴増幅されて快音が放出されるようになっている。
【特許文献１】特開平８−６４２２０号  公報
【発明の開示】
【発明が解決しようとする課題】
【０００４】
しかしながら上記従来の構成では、注出管４の中空部は注出口３から注出管基部４ａまでほぼ同一径で形成されているため、トコトコと小刻みな脈動音が発生し、その音が注出管４内空間で共鳴増幅されて快音が放出されるとは云え、快音の大きさや共鳴の増幅には未だ不満があり改良の余地があった。
さらには、絞り部６の開口は注出口３および注出管４の内径より小さい内径に絞られて形成されるため、製作が難しく、一定した快音を発する徳利を得るための量産化に適しているとは云えず課題として残っていた。
【０００５】
本発明は上記従来の課題を解決するもので、中空の注出管の接続基部ならびに容器本体側面に形成された注出口の構成を追及して、より一層の心地良い快音を発する徳利ならびに製作が容易な徳利を提供することを目的とする。
【課題を解決するための手段】
【０００６】
上記課題を解決するために本発明の液体容器は、注入口が配設された容器本体と、この注入口を気密に閉蓋する気密蓋と、一方に排出口と他方に接続基部を有した中空の注出管とを具備し、前記容器本体の側面に前記注出管の接続基部を一体的に取り付けると共に、この接続基部内面の前記容器本体側面に注出口を形成し、この注出口の開口を前記注出管の接続基部開口に対して２５％〜５０％の大きさにした構成としたものである。
したがって、注出管の接続基部の大きさに対して容器本体側面に形成された注出口の大きさに相当の差が出来るため、上述した従来の作用と同様に注出口より流れ出る酒等の液体は乱流となり、流れ出た液体の重量分だけ容器本体内の空気が減圧される。同時に排出口より流れ出る液体の量に対応する空気が気泡となって入り込むことでトコトコと小刻みな脈動音が発生し、その音が注出管内空間で共鳴増幅されて快音が放出される作用が顕著に向上する。
また容器本体側面の注出口を、前記容器本体の壁面を１５度〜３０度の断面斜上形状に形成した構成としたものである。
したがって、容器を傾けたときに壁面断面はより垂直に近づくため、入り込んだ気泡が壁面を潜り易くなり連続した脈動音が発生し快音が放出される作用を有する。
また、容器本体側面の注出口と、注出管の接続基部近傍の前記注出口に対向する対向壁との開き距離を、前記注出口の縦径寸法に対して４０％以上で、かつ縦径寸法と同程度としたものである。
したがって、注出管内の空間が共鳴に最適な空間となって脈動音が増幅され快音が放出される作用を有する。
さらに注出口の開口を、複数個および連通した形状とした構成としたものである。したがって、主として上方の開口から気泡がスムースに入り込むようになり、より快適な快音が放出される作用を有する。
【発明の効果】
【０００７】
本発明の液体容器は、上記構成を備えたことにより、容器本体側面に形成された注出口の大きさより注出管の接続基部内面を大きくしたことにより、容器本体内の酒等の液体が注出口より外へ脈動的に押し出され、同時に逆流気泡が注出口より吸い込まれてトコトコと小刻みな脈動音が発生し、その音が注出管内の接続基部内面空間でより大きく共鳴増幅されて快音が放出されることになる。
また、液体を注ぐため容器を傾けたときに容器本体の注出口を壁面を１５度〜３０度の断面斜上形状に構成してあると壁面断面はより垂直に近づくため、入り込んだ気泡が壁面を潜り易くなり連続した脈動音が発生し易くなり連続した快音が放出される
また、注出口の開口を複数個および連通した形状とした構成とすると、主として上方の開口がほぼ気泡の専用開口状になりスムースに気泡が入り込むようになって、より快適な快音が放出されることになる。
さらに、容器本体側面の注出口と、注出管の接続基部近傍の前記注出口に対向する対向
壁との開き距離を、前記注出口の縦径寸法に対して４０％以上で、かつ縦径寸法と同程度
とすると、注出管内の空間が共鳴に最適な空間となって脈動音が増幅され快音が放出され
ることになる。
さらには、容器本体の側壁面に注出口を開け、この注出口を囲むように注出管の接続基
部を一体的に接続するだけでよく、接続基部が大きいために接続が簡単になり液体容器の
製作が容易となり量産化に対応できる、といったような多くの効果が得られる。
【発明を実施するための最良の形態】
【０００８】
以下本発明の一実施の形態について、図面を参照しながら説明する。図１は本発明の液体容器の一部切欠き断面図で、図２は注出口の正面図である。なお、従来例と同一構成要素には同一符号が付してある。
図１において、７は容器本体１の側面に形成された注出口で、この注出口７は容器本体
１側面の壁面７ａを１５度〜３０度の角度θで断面斜上形状に開口形成してある。そして
この注出口７を囲むように注出管４の接続基部８が一体的に接続されている。具体的には
図２（イ）に示すように、注出口７が接続基部８内面の下方位置になるよう一体的に取り
付けられている。
また注出口７の対向前面となる注出管４の接続基部８の対向壁は、注出口７中央よりの開き距離ｂが注出口７の縦径寸法に対して４０％以上で、かつ注出口７の縦径寸法と同程度に形成されている。
注出口７は注出管４の接続基部８内面部分より小さいため、注出口７より流れ出る酒等の液体は注出管４内で乱流となり、流れ出た酒等の液体の重量分だけ容器本体１内の空気が減圧される。同時に排出口３より流れ出る液体の量に対応する空気が注出口７より気泡となって断続的に潜り込んで容器本体１内に入り込み、すると容器本体１内の空気が逆流気泡一個分づつ増加し、気圧がその一瞬元に戻ると共に容器本体１内の酒が注出口７より注出管４外へと脈動的に押し出され、同時に逆流気泡が注出口７より吸い込まれてトコトコと小刻みな脈動音が発生し、その音が注出管４内空間の特に注出口７の対向壁で形成されている空間の接続基部８内面近傍で共鳴し、増幅されて心地よい快音が放出される。
【０００９】
このとき、注出口７の大きさは注出管４の接続基部８内面に対して２５％〜５０％の大きさが適当であり、これ以上だと音が低くなると共に大量の空気が流入することでゴボッゴボッという連続で快音とは程遠い音となる。またこれ以下だと液体の注出も少なく、逆流気泡も流入し難くなって快音の発生に難点が出る。
また、注出管４の接続基部８の対向壁は、注出口７よりの開き距離ｂが注出口７の縦径寸法に対して４０％以上となるようにしているが。これ以下だと注出口よりの液体の流出に抵抗が生じ、同時に脈動音の共鳴増幅に悪影響がでる。さらに注出口７の縦径寸法以上になると、液体の流出に支障はなくなるが同様に共鳴増幅に悪影響がでる。
容器本体１側面の注出口７壁面７ａを１５度〜３０度の断面斜上形状に開口してあるの
は、容器を傾けたときに壁面７ａはより垂直に近づくため、入り込んだ気泡が壁面を潜り
易くなり連続した脈動音が発生して快音が得られ易くなる。これ以下だと従来とほぼ同様
であり、これ以上だと開口の製作が難しくなる。
【００１０】
つぎに具体的実施例で説明する。高さ約１７０ｍｍ、最大直径１００ｍｍの外形寸法を
有する液体容器である徳利の下方側面に縦１４ｍｍ、横１２ｍｍの楕円形状の注出口７を
形成した。注出管４の接続基部８の内面部分は縦３４ｍｍ、横１６ｍｍの楕円形状をして
おり、この接続基部８の下端を注出口７の下端より６ｍｍ（上は１４ｍｍ）、左右両端に２
ｍｍづつを有して取り付けた。なお、注出口７の対向前面となる注出管４の接続基部８の
対向壁は、注出口７中央よりの開き距離ｂが６〜１３ｍｍである。
注出口７は容器本体１側面の壁面７ａを１５度〜３０度の断面斜上形状に開口形成して
ある。この徳利に酒を注入し気密蓋で閉蓋して酒を注ぐと、前述したようなトコトコと小刻みな心地よい快音が放出された。これは注出管４の接続基部８内面の注出口７上部には１４ｍｍの壁が形成されており、注出口７より注出する酒との間に空間ができて逆流気泡が一時溜まり、ここより連続して注出口７から容器本体内に潜り込む作用もあるものと考えられる。
この実施例の注出口７としては、図２（ロ）に示すように上下二つの開口としてもよく、上の開口径を１１ｍｍ、下の開口径を４ｍｍとした。また同一径で上下逆にしてもよい。さらには図２（ハ）に示すように上下連通した開口としてもよい。これら開口は円でも楕円形状でも同様の作用効果が得られる。
【００１１】
上述した液体容器は、実施例より大きくも小さくも製作できるし、陶器やプラスチックあるいはその他の材質のものでも製作できる。
本発明の液体容器は、容器本体１に酒等の液体を注入口２から満杯直前まで入れると気密蓋５で閉蓋する。そして容器を傾けて排出口３からお酒を注ぐと酒の重量分だけ容器本体内の空気が減圧される。すると注いだ分の液体容積の気泡が注出口７より容器本体内に断続的に潜り込んで逆流気泡が浮き上がり水位面上で次々に破裂する。容器本体内の空気は逆流気泡一個分づつ増加し、気圧がその一瞬元に戻ると共に容器本体内の酒が注出口７の開口より外へ脈動的に押し出され、同時に逆流気泡が注出口７の開口より吸い込まれてトコトコと小刻みな脈動音が発生し、その音が注出管４内空間の特に注出口７の対向壁で形成されている空間の接続基部８内面近傍で共鳴し、増幅されて心地よい快音が放出される。
【産業上の利用可能性】
【００１２】
本発明の液体容器は、液体を注いだ時に快音を発する容器として有用であり、特に酒を注いだ時に快音を発する徳利として有用である。
【図面の簡単な説明】
【００１３】
【図１】本発明の液体容器の一部切欠き断面図
【図２】本発明の液体容器の注出口の正面図
【図３】従来の液体容器の断面図
【符号の説明】
【００１４】
１    容器本体
２    注入口
３    排出口
４    注出管
５    気密蓋
７    注出口
７ａ  容器本体側面の壁面
８    接続基部
【図１】
2007185213.tif 000003
【図２】
2007185213.tif 000004
【図３】
2007185213.tif 000005